(57)【特許請求の範囲】
【請求項１】
一方に開口を有し、この開口から電気機器本体が収納される金属製の有底のケース本体と；
ケース本体の開口に嵌着されたケース蓋体と；
ケース本体およびケース蓋体の形状に沿って変形可能であり、一端側が内側に、他端側が外側となるように互いに重なってケース本体の開口に位置するようにして電気機器本体を包囲するシート状の絶縁体と；
ケース本体の開口にケース蓋体が嵌着されるときに、絶縁体の内側に位置する一端側を係止することなく外側に位置する他端側を係止可能にケース蓋体の内側に設けられた係止片と；
を具備していることを特徴とする電気機器用ケース。
【請求項２】
係止片は、ケース蓋体の内側に切り起こしで形成されていることを特徴とする請求項１記載の電気機器用ケース。
【請求項３】
請求項１または２記載の電気機器用ケースと；
ケース本体に収納された電気機器本体と；
を具備していることを特徴とする電気機器。
【請求項４】
請求項１または２記載の電気機器用ケースと；
放電ランプを点灯させる点灯回路を備えてケース本体に収納された点灯装置本体と；
を具備していることを特徴とする放電ランプ用点灯装置。
【発明の詳細な説明】
【０００１】
【発明の属する技術分野】
本発明は、ケースおよび給電端子間に絶縁体を配設する電気機器用ケース、電気機器および放電ランプ用点灯装置に関する。
【０００２】
【従来の技術】
電気機器をケースに収納するとき、ケースおよび電気機器の給電端子間に絶縁体を配設して、電気機器の給電端子がケースに接触することによる電気的事故を防止している。例えば、放電ランプ点灯装置は、その点灯装置本体（電気機器本体）がケースに収納されており、その一例を図４に示す。
【０００３】
図４に示す放電ランプ点灯装置５０（従来技術）は、電子部品５１，５２等が実装された回路基板５３を金属製のケース本体５４およびケース蓋体５５からなるケース５６に収納している。そして、電子部品５１，５２等および回路基板５３を包囲するようにして、ケース５６内にシート状の絶縁体５７が配設されたものである。そして、絶縁体５７は、ケース蓋体５５を取付けやすくするとともに、電子部品５１，５２などに接触しないようにするため、図５に示すように、その重なり部５７ａに粘着テープ５８が貼着されて固定されている。
【０００４】
【発明が解決しようとする課題】
従来技術の放電ランプ点灯装置５０は、絶縁体５７の重なり部５７ａを、粘着テープ５８が剥れないようように汚れなどを除去してから粘着テープ５８で固定するので、製造工数が増加するなど、作業性が悪くなるいう欠点を有する。
【０００５】
本発明は上記問題点に鑑みなされたもので、組立の作業性がよく、かつ安価に形成可能な電気機器用ケース、電気機器および放電ランプ用点灯装置を提供することを目的とする。
【０００６】
【課題を解決するための手段】
請求項１に記載の電気機器用ケースの発明は、一方に開口を有し、この開口から電気機器本体が収納される金属製の有底のケース本体と；ケース本体の開口に嵌着されたケース蓋体と；ケース本体およびケース蓋体の形状に沿って変形可能であり、一端側が内側に、他端側が外側となるように互いに重なってケース本体の開口に位置するようにして電気機器本体を包囲するシート状の絶縁体と；ケース本体の開口にケース蓋体が嵌着されるときに、絶縁体の内側に位置する一端側を係止することなく外側に位置する他端側を係止可能にケース蓋体の内側に設けられた係止片と；を具備していることを特徴とする。
【０００７】
絶縁体は、ケース本体にケース蓋体を嵌着するだけで、ケース本体の開口において、一端側が内側に、他端側が外側となるように互いに重なり合い、固定される。したがって、絶縁体の一端側および他端側を粘着テープで貼着して固定する必要がなくなる。そして、絶縁体の大きさを適宜設定することにより、電気機器本体を所望に包囲することができる。
【０００８】
本発明によれば、ケース本体の開口にケース蓋体が嵌着されるときに、絶縁体は一端側および他端側からケース蓋体の形状に沿って変形し、一端側が係止片に係止されずに他端側が係止片に係止され、一端側が内側に、他端側が外側に位置して互いに重ねられる。したがって、絶縁体の一端側および他端側が互いに重ねられるようにする必要がないので、電気機器の組立における作業性が向上する。また、絶縁体の他端側が係止片に係止されるので、例えば電気機器の運搬等の振動によって、絶縁体にずれを生じることが抑制される。
【０００９】
請求項２に記載の電気機器用ケースの発明は、請求項１記載の電気機器用ケースにおいて、係止片は、ケース蓋体の内側に切り起こしで形成されていることを特徴とする。
【００１０】
本発明によれば、係止片は、ケース蓋体の内側に切り起こしで形成されているので、ケース蓋体に一体化されるとともに、安価に形成される。
【００１１】
請求項３に記載の電気機器の発明は、請求項１または２記載の電気機器用ケースと；ケース本体に収納された電気機器本体と；を具備していることを特徴とする。
【００１２】
本発明によれば、電気機器本体がケース本体に収納され、ケース本体の開口にケース蓋体が嵌着されると、電気機器本体は絶縁体によって包囲される。これにより、電気機器本体がケース本体内で取り外れたり、破損したりしても、その給電部は絶縁体を介してケースに対向するので、ケースへの漏電が防止され、電撃が防止される。
【００１３】
請求項４に記載の放電ランプ用点灯装置の発明は、請求項１または２記載の電気機器用ケースと；放電ランプを点灯させる点灯回路を備えてケース本体に収納された点灯装置本体と；を具備していることを特徴とする。
【００１４】
点灯装置本体とは、電気機器本体を意味し、トランジスタなどの電子部品を用いて構成された高周波点灯装置、鉄芯および巻線を用いて構成された安定器のいずれであってもよい。
【００１５】
本発明によれば、点灯装置本体がケース本体に収納され、ケース本体の開口にケース蓋体が嵌着されると、点灯装置本体は絶縁体によって包囲される。これにより、点灯装置本体がケース本体内で取り外れたり、破損したりしても、その給電部は絶縁体を介してケースに対向するので、ケースへの漏電が防止され、電撃が防止される。
【００１６】
【発明の実施の形態】
以下、本発明の一実施の形態について、図面を参照して説明する。
【００１７】
図１〜図３は、本発明の実施形態を示し、図１は、電気機器の概略断面図、図２は、同じく電気機器の一部分解斜視図、図３は、同じく電気機器の組立工程を示す説明図である。
【００１８】
図１において、１は電気機器、２は電気機器用ケース、３は電気機器本体、４はケース本体、５はケース蓋体、６は絶縁体、７は係止片である。
【００１９】
電気機器１は、放電ランプを点灯させる放電ランプ点灯装置であり、電気機器本体としての点灯装置本体３がケース本体４に収納されたものである。
【００２０】
ケース本体４は、金属製例えばアルミニウムからなり、１枚の平板を折り曲げて側部４ａ，４ａおよび底部４ｂに形成した長尺枠体である。すなわち、ケース本体４は、一方に開口４ｃを有し、他方が有底の箱状に形成されている。そして、ケース本体４内には、電気機器本体としての点灯装置本体３が収納されている。ケース本体４の長手方向両端に位置する側部４ａ，４ａには、凸部８，８がそれぞれ一対設けられている。
【００２１】
点灯装置本体３は、回路基板９にトランジスタＴｒ、フィルムコンデンサＣ１や抵抗Ｒ１などの電子部品が実装されたものであり、回路基板９に放電ランプを点灯させる周知の高周波点灯回路１０を備えている。そして、回路基板９が４つの凸部８，８間に嵌め込まれることにより、点灯装置本体３がケース本体４内に収納される。
【００２２】
ケース蓋体５は、金属製例えばアルミニウムからなり、ケース本体４の開口４ｃに嵌着されている。すなわち、ケース蓋体５は、図２に示すように、１枚の平板を左右それぞれ二段に折り曲げ、側部５ａ，５ａ、傾斜部５ｂ，５ｂおよび水平部５ｃを有する長尺枠体に形成されている。そして、側部５ａ，５ａおよび傾斜部５ｂ，５ｂは、ばね性を有するように折り曲げ形成され、ケース蓋体５がケース本体４の開口４ｃに嵌着されたとき、側部５ａ，５ａがケース本体４の側部４ａ，４ａを強固に挟持する。なお、ケース蓋体５の長手方向両端には、水平部５ｃから連続して延在する部分を側部５ａ，５ａと直交する面をなすように折り曲げ形成した端板（図示しない。）が設けられている。この端板により、ケース本体４の点灯装置本体３に指等が入らないように遮蔽されている。
【００２３】
また、ケース蓋体５の水平部５ｃの中央部には、絶縁体６の他端側６ｂを係止可能にケース蓋体５の内側に切り起こされた係止片７が設けられている。係止片７は、他の部材を用いずに、ケース蓋体５の水平部５ｃの内側への切り起こしで形成されているので、必然的にケース蓋体５に一体化されるとともに、安価に形成することができる。
【００２４】
絶縁体６は、シート状に形成された例えばポリエステルからなり、ケース本体４およびケース蓋体５の形状に沿って変形可能である。そして、図２に示すように、その一端側６ａおよび他端側６ｂがケース本体４の開口方向に拡開するような弾力性を有するように折り曲げた状態で収納されている。また、絶縁体６は、ケース本体４の長手方向においては、ケース本体４の４隅に設けられた凸部８の間に位置している。そして、図１に示すように、点灯装置本体３を包囲するとともに、一端側６ａおよび他端側６ｂがケース本体４の開口４ｃに位置するようにして、一端側６ａが内側に、他端側６ｂが外側となるように互いに重なっている。そして、他端側６ｂは、係止片７に係止され、一端側６ａは係止片７の背面に位置して係止片７に係止されないものである。
【００２５】
こうして、電気機器としての放電ランプ点灯装置１および電気機器用ケース２が構成されている。
【００２６】
次に、図３を用いて、本発明の実施形態の作用について述べる。
【００２７】
まず、図３（ａ）に示すように、ケース本体４の開口４ｃに、絶縁体６、点灯装置本体３の順に収納でき、ケース蓋体５を嵌着できるようにする。
【００２８】
そして、図３（ｂ）に示すように、ケース本体４の開口４ｃから絶縁体６および点灯装置本体３を収納する。このとき、絶縁体６は、ケース本体４の内形状に沿って変形するとともに、点灯装置本体３が収納されたときに、一端側６ａおよび他端側６ｂがケース本体４の側部４ａ，４ａに沿い、開口４ｃ上に拡開する。そして、点灯装置本体３は、回路基板９が凸部８を乗り越え、凸部８，８間に支持される。これにより、点灯装置本体３は、絶縁体６を介してケース本体４の底部４ｂ上に収納される。
【００２９】
そして、ケース蓋体５の側部５ａ，５ａが絶縁体６の一端側６ａおよび他端側６ｂを内方するようにして、ケース蓋体５をケース本体４の開口４ｃ上に位置させる。そして、ケース蓋体５をケース本体４の開口４ｃに嵌着させるように開口４ｃ側に移動させる。このとき、絶縁体６の一端側６ａの先端および他端側６ｂの先端は、ケース蓋体５の傾斜部５ｂ，５ｂに当接する。そして、一端側６ａおよび他端側６ｂは、ケース蓋体５がケース本体４の開口４ｃに近づくにつれ、傾斜部５ｂ，５ｂに沿って案内されて互いに内方に傾斜していく。
【００３０】
そして、図３（ｃ）に示すように、絶縁体６の一端側６ａは、ケース蓋体５の傾斜部５ｂから水平部５ｃ、そして係止片７の背面７ａに沿って移動していく。一方、他端側６ｂは、傾斜部５ｂから水平部５ｃに移動していき、そして係止片７の係止面７ｂ側に移動していく。
【００３１】
そして、係止片７は、水平部５ｃを内側に切り起こして形成され、係止面７ｂが水平部５ｃの外面に繋がっているので、図３（ｄ）に示すように、ケース本体４の開口４ｃにケース蓋体５が嵌着されたとき、絶縁体６の他端側６ｂは、係止面７ｂと水平部５ｃの外面との境界部において、その移動が阻止される。一方、一端側６ａは、係止片７に係止されることなく、係止片７の背面７ａからさらに移動してケース本体４の開口４ｃに位置する。こうして、絶縁体６は、一端側６ａが内側に、他端側６ｂが外側となるように互いに重なって固定され、ケース本体４の開口４ｃに位置して点灯装置本体３を切れ目なく包囲する。絶縁体６が点灯装置本体３を切れ目なく包囲しているので、点灯装置本体３の給電部、例えば回路基板９に実装されたフィルムコンデンサＣ１や抵抗Ｒ１などのリードと、ケース本体４およびケース蓋体５との接触が防止される。
【００３２】
また、ケース蓋体５がケース本体４の開口４ｃに嵌着されたとき、ケース蓋体５の側部５ａ，５ａは、ケース本体４の側部４ａ，４ａを互いに内方に押圧するようにして強固に挟持する。この結果、点灯装置本体３の回路基板９は、絶縁体６およびケース本体４の側部４ａ，４ａを介してケース蓋体５の側部５ａ，５ａにより挟持される。したがって、放電ランプ点灯装置１の取付方法によって、回路基板９が凸部８，８から取り外れることは少ないものである。仮に、回路基板９が凸部８，８から取り外れても、点灯装置本体３は絶縁体６に包囲されているので、電気機器用ケース２すなわちケース本体４およびケース蓋体５との接触、漏電が防止され、電撃を防止することができる。
【００３３】
上述したように、粘着テープなどを使用せずに、ケース本体４の開口４ｃにケース蓋体５を嵌着するだけで絶縁体６の一端側６ａが内側に、他端側６ｂが外側に位置して互いに重ねて固定することができるので、放電ランプ点灯装置１の組立作業性を向上させることができる。また、係止片７は、他の部材を用いずに切り起こしで形成できるので、放電ランプ点灯装置１を安価にできる。
【００３４】
なお、点灯装置本体３は、放電ランプを高周波で点灯させる高周波点灯回路ではなく、鉄芯および巻線からなる安定器で構成されたものであってもよい。このとき、ケース本体４およびケース蓋体５は、亜鉛メッキした鉄板などを用いるとよい。
【００３５】
また、電気機器として放電ランプ点灯装置１について説明したが、これに限らず、電気機器は、直流電源装置、電源安定化装置、モータなどの駆動装置および各種制御装置などであってもよい。
【００３６】
【発明の効果】
請求項１の発明によれば、ケース本体の開口にケース蓋体が嵌着されるときに、絶縁体は一端側および他端側からケース蓋体の形状に沿って変形し、一端側が係止片に係止されずに他端側が係止片に係止され、一端側が内側に、他端側が外側に位置して互いに重ねられるので、電気機器の組立の作業性を向上させることができる。
【００３７】
請求項２の発明によれば、係止片は、ケース蓋体の内側に切り起こしで形成されているので、ケース蓋体に一体化されて、安価に形成することができる。
【００３８】
請求項３の発明によれば、電気機器本体は絶縁体によって包囲されるので、電気機器本体がケース本体内で取り外れたり、破損したりしても、ケースへの漏電が防止され、電撃が防止される電気機器を提供することができる。
【００３９】
請求項４の発明によれば、点灯装置本体は絶縁体によって包囲されるので、点灯装置本体がケース本体内で取り外れたり、破損したりしても、ケースへの漏電が防止され、電撃が防止される放電ランプ点灯装置を提供することができる。
【図面の簡単な説明】
【図１】本発明の実施形態を示す電気機器の概略断面図。
【図２】同じく、電気機器の一部分解斜視図。
【図３】同じく、電気機器の組立工程を示す説明図。
【図４】従来技術の放電ランプ点灯装置の概略断面図。
【図５】同じく、放電ランプ点灯装置の一部分解斜視図。
【符号の説明】
１…………………電気機器としての放電ランプ用点灯装置
２…………………電気機器用ケース
３…………………電気機器本体としての点灯装置本体
４…………………ケース本体
５…………………ケース蓋体
６…………………絶縁体
７…………………係止片
【図１】
0003900333.tif 000002
【図２】
0003900333.tif 000003
【図３】
0003900333.tif 000004
【図４】
0003900333.tif 000005
【図５】
0003900333.tif 000006